(57)【要約】【課題】断熱性を備えつつ、室内側の美観に優れ、メンテナンス性も易い建具を提供する。【解決手段】室内外に開口した開口部に設けられる枠体と、前記枠体内に固定される面材と、前記枠体に着脱自在に設けられ、前記面材より室内側に位置するカバー部材と、を有し、前記枠体は、金属製の室内側部位と、金属製の室外側部位と、これらの部位を連結する断熱部材を備え、前記カバー部材は、前記室内側部位のみに係止されている。【選択図】図４
2008169554.tif 000002
【特許請求の範囲】
【請求項１】
室内外に開口した開口部に設けられる枠体と、
前記枠体内に固定される面材と、
前記枠体に着脱自在に設けられ、前記面材より室内側に位置するカバー部材と、
を有し、
前記枠体は、金属製の室内側部位と、金属製の室外側部位と、これらの部位を連結する断熱部材を備え、
前記カバー部材は、前記室内側部位のみに係止されていることを特徴とする建具。
【請求項２】
請求項１に記載の建具であって、
前記枠体は、前記開口部に固定される枠本体と、
室内側にて前記面材を押さえるための前記室内側部位である押さえ部材と、
を有し、
前記枠本体は、前記室内側部位である室内側枠材と、前記室外側部位である室外側枠材とで構成され、
前記押さえ部材は、前記断熱部材を介して前記室外側枠材に連結されていることを特徴とする建具。
【請求項３】
請求項２に記載の建具であって、
前記カバー部材は、前記室内側枠材と前記押さえ部材とにそれぞれ係合されて固定されていることを特徴とする建具。
【請求項４】
請求項２または請求項３に記載の建具であって、
前記室外側枠材は、室外側にて前記面材を押さえるための室外側押さえ部が設けられており、
前記押さえ部材と前記室外側押さえ部と前記カバー部材は、室内外方向に沿った各見込み面が面一となることを特徴とする建具。
【請求項５】
請求項２乃至請求項４のいずれかに記載の建具であって、
前記室外側枠材は、当該室外側枠材に固着部材にて固定された押さえ元側部材を有しており、
前記押さえ部材は、前記断熱部材を介して前記押さえ元側部材と連結されることで前記室外側枠材に連結されていることを特徴とする建具。
【発明の詳細な説明】
【技術分野】
【０００１】
本発明は、室内外を連通する開口部に設けられる建具に関する。
【背景技術】
【０００２】
従来、窓枠として屋外側枠と屋内側枠とを断熱材を介して接続した窓枠を有する建具が知られている（例えば、特許文献１参照）。このような建具は、屋外側枠が晒された外気の温度が窓枠により屋内側に伝達されないように断熱材が配置されている。
【特許文献１】実公昭６２−２０６３０号公報
【発明の開示】
【発明が解決しようとする課題】
【０００３】
近年、窓枠の露出される部位や人の目につきやすい部位に対する美観を高めたいという要望がある。また、掃除や部品破損時の交換など、メンテナンス性も求められている。従来固定面材を備えたもので、上記のような断熱性を備え、美観に優れ、且つメンテナンス性に優れた建具はこれまで考えられていなかった。
【０００４】
本発明は、かかる課題に鑑みてなされたものであり、その目的とするところは、断熱性を備えるとともに、美観に優れ、メンテナンスが容易である建具を提供することにある。
【課題を解決するための手段】
【０００５】
かかる目的を達成するために本発明の建具は、室内外に開口した開口部に設けられる枠体と、前記枠体内に固定される面材と、前記枠体に着脱自在に設けられ、前記面材より室内側に位置するカバー部材と、を有し、前記枠体は、金属製の室内側部位と、金属製の室外側部位と、これらの部位を連結する断熱部材を備え、前記カバー部材は、前記室内側部位のみに係止されていることを特徴とする建具である。  
このような建具によれば、枠体は、断熱部材により室内側部位と室外側部位とに遮断されているので、室外側部位から室内側部位への熱伝達は生じにくい。また、枠体の面材ガラスより室内側をカバーするカバー部材が、枠体の室内側部位のみに係止されているので、室外側部位からカバー部材への熱伝達も生じにくい。このため、室外の温度に影響されにくい断熱性の高い室内空間を提供することが可能である。また、室内側の部位をカバーするカバー部材は着脱可能なので、室内側の美観を高めることができるとともに、掃除や破損時等において取り外しを容易にすることが可能である。
【０００６】
かかる建具であって、前記枠体は、前記開口部に固定される枠本体と、室内側にて前記面材を押さえるための前記室内側部位である押さえ部材と、を有し、前記枠本体は、前記室内側部位である室内側枠材と、前記室外側部位である室外側枠材とで構成され、前記押さえ部材は、前記断熱部材を介して前記室外側枠材に連結されていることが望ましい。  
ここで、押さえ部材が断熱部材を介して室外側枠材と連結されるとあるが、押さえ部材に連結された断熱部材が室外側枠材に直接連結されるものや、押さえ部材に連結された断熱部材が室外側枠材とは別体の部材を介して室外側枠材に連結されるものも含まれる。  
このような建具によれば、室内側にて面材を押さえるための押さえ部材が断熱部材を介して室外側枠材に連結されているので、面材の室内側に位置する押さえ部材への室外側からの熱の伝達を抑え、室内側空間の断熱性を高めることが可能である。
【０００７】
かかる建具であって、前記カバー部材は、前記室内側枠材と前記押さえ部材とにそれぞれ係合されて固定されていることが望ましい。  
このような建具によれば、カバー部材が室内側部位である押さえ部材および室内側枠材にそれぞれ係合されて固定されているので、カバー部材への室外からの熱の伝達を抑えるとともに、枠本体における面材よりも室内側部分がカバー部材にてカバーされて美観に優れた建具を提供することが可能である。
【０００８】
かかる建具であって、前記室外側枠材は、室外側にて前記面材を押さえるための室外側押さえ部が設けられており、前記押さえ部材と前記室外側押さえ部と前記カバー部材は、室内外方向に沿った各見込み面が面一となることが望ましい。  
このような建具によれば、建具の見込み面が面一になるため、フラットな外観とすることが可能である。
【０００９】
かかる建具であって、前記室外側枠材は、当該室外側枠材に固着部材にて固定された押さえ元側部材を有しており、前記押さえ部材は、前記断熱部材を介して前記押さえ元側部材と連結されることで前記室外側枠材に連結されていることが望ましい。  
このような建具によれば、押さえ部材と押さえ元側部材の間、および室外側枠材と室内側枠材の間にそれぞれ断熱部材が設けられた複雑な断熱構造の枠体であっても、押さえ部材と押さえ元側部材とを断熱部材を介して連結したものと、室外側枠材と室内側枠材とを断熱部材を介して連結したものを別々に成形し、その後、室外側枠材に押さえ元側部材を連結することで、簡単に複雑な断熱構造を有する枠体が形成できる。
【発明を実施するための最良の形態】
【００１０】
以下、本発明の一実施形態に係る建具について図面を参照して説明する。  
本実施形態の建具１は、図１に示すような、建物の開口部を部分的に閉塞し、面材としてのガラス３が嵌め付けられて開閉しないＦＩＸ窓１０と、ＦＩＸ窓１０にて閉塞されない部分を閉塞可能に設けられた移動可能な障子５とを備えた建具１を例に挙げて説明する。この建具１は、図２、図３に示すように、枠体１１の見込み方向におけるほぼ中央より室外側の領域にＦＩＸ窓１０が設けられ、ほぼ中央より室内側の領域は障子５が移動可能な領域となっている。以下の説明においては、建具１を室内側から見たときに上下となる方向を上下方向、左右となる方向を左右方向または見付け方向、室内外方向である奥行き方向を見込み方向として示す。また、本発明の特徴的な部分は、本実施形態においてはＦＩＸ窓１０側に含まれるため、以下では、主にＦＩＸ窓１０について説明する。
【００１１】
本実施形態の建具１におけるＦＩＸ窓１０は、図１乃至図３に示すように、例えば、室内外を仕切るためのガラス３と、室内外を連通する開口部に設けられ、ガラス３を保持するための枠体１１と、枠体１１に着脱自在に設けられ、枠体１１におけるガラス３より室内側の部位をカバーするカバー部材３０、３２とを有している。
【００１２】
枠体１１は、室内外を仕切る壁の開口部に設けられた上枠１２、下枠１３、左右の縦枠１４、１５および上枠１２と下枠１３との間に設けられた縦骨１７とで構成されている。そして、ＦＩＸ窓１０の枠部は、上枠１２、下枠１３、右側に位置する縦枠（以下、右縦枠という）１５、および、縦骨１７とで構成されている。ここで、本実施形態のガラスは、２枚のガラス板３ａの周縁間にスペーサや封着剤を介在させて、互いに間隔を隔てて対面させた２層構造のガラス３を用いている。
【００１３】
枠体１１および縦骨１７における室外側の領域の、上枠１２、下枠１３、右縦枠１５、および、縦骨１７には、見込み方向における中央側に開口部の中央方向に向かって突出され、その開口部を閉塞するように設けられるガラス３の縁部と対面し、ガラス３が押し当てられるガラス押圧部材２２、２３、２５、２７が、各々全長に亘って設けられている。
【００１４】
また、枠体１１および縦骨１７は、ガラス押圧部材２２、２３、２５、２７とともにガラス３を挟み、ガラスの室外側の面側からガラス３を押さえるための室外側押さえ部としての押縁３２、３３、３５、３７を有している。
【００１５】
上枠１２、下枠１３、右縦枠１５、および、縦骨１７の各ガラス押圧部材２２、２３、２５、２７には室外側に、また、押縁３２、３３、３５、３７には室内側に、それぞれゴム製のシール材１６が設けられており、このシール材１６を介してガラス３が保持されている。
【００１６】
本発明に係る建具１の特徴は、本実施形態では、ガラス３より室内側の枠体１１に含まれている。本実施形態では、右縦枠１５とガラス３との取り合い部分、および、下枠１３とガラス３との取り合い部分、を例に説明する。
【００１７】
＜右縦枠１５とガラス３との取り合い部分＞
図４に示すように、右縦枠１５は、見込み方向室外側にＦＩＸ窓１０が設けられている領域と、室内側に障子５が移動可能な領域とに亘って設けられている。
【００１８】
右縦枠１５は、躯体７に固定される枠本体としての右縦枠本体４５と、ガラス押圧部材２５と、押縁３５とを有している。押縁３５はアルミニウム製の押し出し成形部材である。
【００１９】
右縦枠本体４５の見込み方向におけるほぼ中央部には、開口の内側に向けて突出するようにガラス押圧部材２５がねじにて固定されている。ガラス押圧部材２５の室内側には、後述するカバー部材３０の係合部３０ｃと係合する係合突起２５ｄが設けられている。また、ガラス押圧部材２５の室外側には、ガラス押圧部材２５と見込み方向に互いに間隔を隔てて対向するように室外側押さえ部としての押縁３５が配置されており、押縁３５は右縦枠本体４５に着脱可能に係止されている。ガラス押圧部材２５の室外側および押縁３５の室内側には、シール材１６が設けられており、このシール材１６を介してガラス３が保持されている。
【００２０】
右縦枠本体４５には、見込み方向における中央より室内側の位置に、断熱性を有する断熱部材としての断熱性樹脂部材４５ａが設けられている。そして、右縦枠本体４５は断熱性樹脂部材４５ａにより２つに分断されており、室外側に位置する室外側部位であり室外側枠材としての室外側縦枠４５ｂと、室内側に位置する室内側部位であり室内側枠材としての室内側縦枠４５ｃとに分けられている。室外側縦枠４５ｂと室内側縦枠４５ｃは、いずれもアルミニウム製の押し出し成形部材である。また、右縦枠本体４５は、室外側縦枠４５ｂと、室内側縦枠４５ｃとの間に断熱性樹脂部材４５ａが介在された状態に一体成形されており、室外側縦枠４５ｂと、室内側縦枠４５ｃとは接触しないように構成されている。
【００２１】
室外側縦枠４５ｂと室内側縦枠４５ｃとは、見込み方向に沿って設けられ、ＦＩＸ窓１０のガラス３と直交する見込み方向壁部４５ｄ、４５ｅとを有し、室外側縦枠４５ｂの見込み方向壁部４５ｄと室内側縦枠４５ｃの見込み方向壁部４５ｅとは、断熱性樹脂部材４５ａにより分断されているが、同一の平面を形成している。そして、室外側縦枠４５ｂの見込み方向壁部４５ｄにガラス押圧部材２５および押縁３５が設けられ、いずれも見込み方向壁部４５ｄから同じ長さだけ見付け方向に突出されている。
【００２２】
室内側縦枠４５ｃは、室内側の端部に、見付け方向に沿って形成された見付け方向壁部４５ｆを有しており、見付け方向壁部４５ｆの室外側面の見込み方向壁部４５ｅ近傍には、室外側に突出する突起４５ｇを有している。
【００２３】
見込み方向壁部４５ｄから突出されているガラス押圧部材２５は、室内側部位であり押さえ部材としての先端側部位２５ａと、室外側部位であり押さえ元側部材としての元端側部位２５ｂとの間に、断熱性を有する断熱部材としての断熱性樹脂部材２５ｃが介在された状態に一体成形されており、先端側部位２５ａと、元端側部位２５ｂとは接触しないように構成されている。先端側部位２５ａと元端側部位２５ｂは、いずれもアルミニウム製の押し出し成形部材である。ガラス押圧部材２５の前記シール材１６は、先端側部位２５ａの室外側に設けられている。
【００２４】
カバー部材３０は、見付け方向壁部４５ｆと先端側部位２５ａとに係合された際に、枠体１１の室内側に露出する内装部３０ａと、見込み方向壁部４５ｄと近接して見付け方向壁部４５ｆと対向する対向壁部３０ｂとを有している。内装部３０ａは、見込み方向壁部４５ｄに固定されたガラス押圧部材２５と、見付け方向壁部４５ｆとの間にて、押縁３５の先端側の面３５ａおよびガラス押圧部材２５の先端側部位２５ａと、見付け方向における見込み方向壁部４５ｄからの位置が同じとなる平面を形成している。つまり、先端側部位２５ａと押縁３５の先端側の面３５ａと内装部３０ａは、室内外方向に沿った各見込み面が面一となる。
【００２５】
カバー部材３０は、内装部３０ａの室外側先端に設けられた係合部３０ｃがガラス押圧部材２５の係合突起２５ｄと、対向壁部３０ｂに設けられた係合部３０ｄが、見付け方向壁部４５ｆの突起４５ｇと、それぞれ係合されることにより、右縦枠１５に取り外し可能に取り付けられている。カバー部材３０が取り付けられることにより、室内側縦枠４５ｃと室外側縦枠４５ｂとの間に設けられた断熱性樹脂部材４５ａ、および、見込み方向壁部４５ｅ、ガラス押圧部材２５の分断部、さらに、右縦枠１５を躯体７に固定しているねじが覆い隠される。
【００２６】
上記本実施形態の建具１によれば、右縦枠１５は、断熱性樹脂部材４５ａにより室内側縦枠４５ｃと室外側縦枠４５ｂとに遮断されているので、室外側縦枠４５ｂから室内側縦枠４５ｃへの熱伝達は生じにくい。また、右縦枠１５において、ガラス３より室内側をカバーするカバー部材３０が、右縦枠１５の室内側縦枠４５ｃおよびガラス押圧部材２５の先端側部位２５ａのように、断熱性樹脂部材２５ｃ、４５ａにより室外側縦枠４５ｂおよび元端側部位２５ｂから分断されている部材のみに係止されているので、これらの室外側部位（室外側縦枠４５ｂ、元端側部位２５ｂ）からカバー部材３０への熱伝達も生じにくい。このため、室外の温度に影響されにくい断熱性の高い室内空間を提供することが可能である。また、室内側の部位をカバーするカバー部材３０は、着脱可能なので、室内側の美観を高めることができるとともに、取り外して内部を掃除したり、部品の交換をすることが可能である。
【００２７】
＜下枠１３とガラス３との取り合い部分＞
図５に示すように、下枠１３は、見込み方向における室外側にＦＩＸ窓１０が設けられている領域と、室内側に障子５が移動可能な領域とに亘って設けられている。
【００２８】
下枠１３は、躯体７に固定される枠本体としての下枠本体４３と、ガラス押圧部材２３と、室外側押さえ部としての押縁３３と、外縁装飾部５０とを有している。押縁３３と、外縁装飾部５０とは、いずれもアルミニウム製の押し出し成形部材である。
【００２９】
下枠本体４３の見込み方向におけるほぼ中央部には、開口の内側に向けて突出するようにガラス押圧部材２３が固定されている。また、ガラス押圧部材２３の室外側には、ガラス押圧部材２３と見込み方向に互いに間隔を隔てて対向するように押縁３３が配置されており、押縁３３は下枠本体４３に着脱可能に係止されている。ガラス押圧部材２３の室外側および押縁３３の室内側には、ゴム製のシール材１６が設けられており、このシール材１６を介してガラス３が保持されている。また、ガラス押圧部材２３の室内側には、後述する下カバー部材３２の係合部３２ｃと係合する係合突起２３ｄが設けられている。
【００３０】
下枠本体４３は、見込み方向における中央より室内側の位置に、断熱性を有する断熱性樹脂部材４３ａが設けられている。そして、下枠本体４３は、断熱性樹脂部材４３ａにより２つに分断されており、室外側に位置する室外側部位であり室外側枠材としての室外側下枠４３ｂと、室内側に位置する室内側部位であり室内側枠材としての室内側下枠４３ｃとに分けられている。室外側下枠４３ｂと室内側下枠４３ｃは、いずれもアルミニウム製の押し出し成形部材である。また、下枠本体４３は、室外側下枠４３ｂと、室内側下枠４３ｃとの間に断熱性樹脂部材４３ａが介在された状態に一体成形されており、室外側下枠４３ｂと、室内側下枠４３ｃとは接触しないように構成されている。
【００３１】
室外側下枠４３ｂは、見込み方向に沿って設けられ、ＦＩＸ窓１０のガラス３と直交する見込み方向水平部４３ｄを有している。そして、室外側下枠４３ｂの見込み方向水平部４３ｄにガラス押圧部材２３および押縁３３が設けられており、ガラス押圧部材２３および押縁３３は、いずれも見込み方向水平部４３ｄから同じ高さだけ上方向に突出されている。
【００３２】
室内側下枠４３ｃの断熱性樹脂部材４３ａ側には、移動可能に設けられた障子５を見付け方向に案内するためのレール４８が設けられている。レール４８の下には鉛直方向に沿う縦壁部４３ｅが設けられており、縦壁部４３ｅの屋外側に後述する下カバー部材３２を係止するための係止突起４３ｆが設けられている。
【００３３】
見込み方向水平部４３ｄから突出されているガラス押圧部材２３は、室内側部位であり押さえ部材としての先端側部位２３ａと、室外側部位であり押さえ元側部材としての元端側部位２３ｂとの間に、断熱性を有する断熱性樹脂部材２３ｃが介在された状態に一体成形されており、先端側部位２３ａと、元端側部位２３ｂとは接触しないように構成されている。先端側部位２３ａと元端側部位２３ｂは、いずれもアルミニウム製の押し出し成形部材である。ガラス押圧部材２３の前記シール材１６は、先端側部位２３ａの室外側に設けられている。
【００３４】
カバー部材としての下カバー部材３２は、縦壁部４３ｅとガラス押圧部材２３とに係合された際に、枠体１１の室内側に露出する内装部３２ａと、障子５の下端が入り込む溝部を形成する溝壁部３２ｂとを有している。内装部３２ａは、見込み方向水平部４３ｄに固定されたガラス押圧部材２３の先端部と、押縁３３の先端側の面３３ａと、同じ水平面を形成している。つまり、先端側部位２３ａと押縁３３の先端側の面３３ａと内装部３２ａは、室内外方向に沿った各見込み面（上面）が面一となる。
【００３５】
下カバー部材３２は、内装部３２ａの室外側先端から垂設された脚部３２ｅの下端に設けられた係合部３２ｃがガラス押圧部材２３の係合突起２３ｄと、溝壁部３２ｂの下端係合部３２ｄが縦壁部４３ｅの係止突起４３ｆと、それぞれ係合されることにより、下枠１３に取り外し可能に取り付けられている。下カバー部材３２が取り付けられることにより、室内側下枠４３ｃと室外側下枠４３ｂとの間に設けられた断熱性樹脂部材４３ａ、および、ガラス押圧部材２３の分断部が覆い隠される。また、レール４８と先端側部位２３ａとの間に生じる上面に開口した大きな溝を、この下カバー部材３２の内装部３２ａによってある程度塞ぐことで、溝の見込み方向寸法を小さくしている。
【００３６】
上記本実施形態の建具１によれば、下枠１３は、断熱性樹脂部材４３ａにより室内側下枠４３ｃと室外側下枠４３ｂとに遮断されているので、室外側下枠４３ｂおよび元端側部位２３ｂから室内側下枠４３ｃへの熱伝達は生じにくい。また、下枠１３におけるガラス３より室内側をカバーする下カバー部材３２が、下枠１３の室内側下枠４３ｃとガラス押圧部材２３の先端側部位２３ａのように、断熱性樹脂部材２３ｃ、４３ａにより室外側下枠４３ｂおよび元端側部位２３ｂから分断されている部材のみに係止されているので、室外側下枠４３ｂおよび元端側部位２３ｂから下カバー部材３２への熱伝達も生じにくい。このため、室外の温度に影響されにくい断熱性の高い室内空間を提供することが可能である。また、下枠１３の室内側の部位をカバーする下カバー部材３２は、着脱可能なので、室内側の美観を高めることができるとともに、取り外して内部を掃除したり、部品の交換をすることが可能である。
【００３７】
また、上記実施形態の建具１によれば、室外側縦枠４５ｂ、室内側縦枠４５ｃ、断熱性樹脂部材４５ａおよび室外側下枠４３ｂ、室内側下枠４３ｃ、断熱性樹脂部材４３ａは、いずれも一体成形されているので、室内側縦枠４５ｃおよび室内側下枠４３ｃと室外側縦枠４５ｂおよび室外側下枠４３ｂとの間での熱伝達を遮断しつつ、高い強度を備えた枠体１１を実現することが可能である。
【００３８】
また、枠体１１は、開口を形成する躯体７に固定される右縦枠本体４５および下枠本体４３と、右縦枠本体４５および下枠本体４３に固定され、室内側にてガラス３を押さえるためのガラス押圧部材２３、２５に、断熱性樹脂部材２３ｃ、２５ｃ、４３ａ、４５ａが設けられているので、枠体１１の躯体側およびガラス３側からの熱の伝達を抑え、室内側空間の断熱性を高めることが可能である。
【００３９】
また、カバー部材３０は、右縦枠本体４５とガラス押圧部材２５とにそれぞれ係合され、また、下カバー部材３２は、下枠本体４３とガラス押圧部材２３とにそれぞれ係合されて固定されているので、ガラス押圧部材２５より室内側部分がカバー部材３０に、また、ガラス押圧部材２３より室内側部分が下カバー部材３２に、カバーされて美観に優れた建具１を提供することが可能である。
【００４０】
さらに、ガラス３は、２枚のガラス板３ａが互いに間隔を隔てて対面された二重構造をなしているので、２枚のガラス板間に断熱層が形成され、ガラス３を挟んだ屋内外においても熱伝達が生じにくい。このため、より高い断熱性を備えることが可能である。
【００４１】
なお、上記実施形態では、ガラス押圧部材２３、２５における元端側部位２３ｂ、２５ｂが、室外側縦枠４５ｂや室外側下枠４３ｂとは別体としていたが、これに限ることなく、元端側部位２３ｂと室外側下枠４３ｂ、元端側部位２５ｂと室外側縦枠４５ｂ、がそれぞれ一体的に成形されたものでも良い。
【００４２】
また、上記実施形態では、押縁３３、３５と室外側縦枠４５ｂや室外側下枠４３ｂとは別体としていたが、これに限ることなく、押縁３３と室外側下枠４３ｂ、押縁３５と室外側縦枠４５ｂ、がそれぞれ一体的に成形されたものでも良い。
【００４３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４４】
【図１】本実施形態に係る建具を屋内側からみた外観図である。
【図２】本実施形態に係る建具の平断面図である。
【図３】本実施形態に係る建具の縦断面図である。
【図４】右縦枠近傍の平断面図である。
【図５】下枠の縦断面図である。
【符号の説明】
【００４５】
１  建具、３  ガラス、３ａ  ガラス板、７  躯体、１０  ＦＩＸ窓、１１  枠体、
１３  下枠、１５  右縦枠、１７  縦骨、３０  カバー部材、３２  下カバー部材、
２５  ガラス押圧部材、４３  下枠本体、４３ａ  断熱性樹脂部材、
４３ｂ  室外側下枠、４３ｃ  室内側下枠、４５  縦枠本体、４５ａ  断熱性樹脂部材、
４５ｂ  室外側縦枠、４５ｃ  室内側縦枠
【図１】
2008169554.tif 000003
【図２】
2008169554.tif 000004
【図３】
2008169554.tif 000005
【図４】
2008169554.tif 000006
【図５】
2008169554.tif 000007